(57)【要約】【課題】  ゴミなどの異物の付着することによりコンタクト部分においてショート、マイグレーション、端子部の腐食などの発生を防止すること。【解決手段】  コンタクト１０は、インシュレータ２０の外へ延びている端子部１７を有し、アクチュエータ３０は、前記コンタクト１０を弾性変形させて接続対象物５０に接触させた状態で前記端子部１７の少なくとも一面を覆うカバー部３５を有している。【選択図】    図１
2005243390.tif 000002
【特許請求の範囲】
【請求項１】
導電性のコンタクトと、該コンタクトを保持するインシュレータと、前記インシュレータに回動可能に取り付けられ、かつ前記コンタクトを弾性変形させて接続対象物に接触させるよう回動するアクチュエータとを含むコネクタにおいて、
前記コンタクトは、前記インシュレータから前記インシュレータの外へ延びている端子部を有し、前記アクチュエータは、前記コンタクトを弾性変形させて前記接続対象物に接触させた状態で前記端子部の少なくとも一面を覆うカバー部を有していることを特徴とするコネクタ。
【請求項２】
請求項１記載のコネクタにおいて、前記アクチュエータは、前記インシュレータに回動可能に軸支されていることを特徴とするコネクタ。
【請求項３】
請求項１記載のコネクタにおいて、前記アクチュエータは、前記インシュレータに摺動可能に支持されていることを特徴とするコネクタ。
【発明の詳細な説明】
【技術分野】
【０００１】
本発明は、平板形状の接続対象物とプリント配線基板のような基板とを接続するコネクタに関する。
【背景技術】
【０００２】
従来のコネクタは、コンタクトと、コンタクトを保持するインシュレータと、インシュレータに回転可能に取り付けられ、かつコンタクトを弾性変形させてフレキシブル・プリンテッド・サーキット（ＦＰＣ）に接触させることができるアクチュエータとから構成される。
【０００３】
コンタクトは、一方側にＦＰＣとの接触部を、他方側にアクチュエータによる被作動部を、それぞれ有する第１のビームと、一方側にＦＰＣとの接触部を、他方側にプリント配線基板と半田接続される端子部を、それぞれ有する第２のビームと、第１のビームと第２のビームとを連結する連結ばね部とから構成されている。
【０００４】
アクチュエータが回転したときには、カム部がコンタクトのばね部と連結ばね部を弾性変形させる。すると、接触部の突起と接触部の突起との間で、ＦＰＣは挟圧される。したがって、ＦＰＣの表面に形成されたパターンは、各コンタクトの端子部を介してプリント基板に接続される（特許文献１を参照）。
【０００５】
【特許文献１】特開２００２−２７０２９０号公報
【発明の開示】
【発明が解決しようとする課題】
【０００６】
従来のコネクタでは、インシュレータの外に端子部が位置している場合に、端子部が保護されておらず、ゴミなどの異物が端子部に付着することで、コネクタを基板へ実装した後に発生するゴミなどの異物の付着することによりコンタクト部分においてショートすること、マイグレーションを起こすこと、さらに端子部が腐食するなどの問題が発生する。
【０００７】
それ故に、本発明の課題は、ゴミなどの異物の付着することによりコンタクト部分においてショート、マイグレーション、端子部の腐食などの発生を防止できるコネクタを提供することにある。
【課題を解決するための手段】
【０００８】
本発明は、導電性のコンタクトと、該コンタクトを保持するインシュレータと、前記インシュレータに回動可能に取り付けられ、かつ前記コンタクトを弾性変形させて接続対象物に接触させるよう回動するアクチュエータとを含むコネクタにおいて、前記コンタクトは、前記インシュレータから前記インシュレータの外へ延びている端子部を有し、前記アクチュエータは、前記コンタクトを弾性変形させて前記接続対象物に接触させた状態で前記端子部の少なくとも一面を覆うカバー部を有していることを特徴とするコネクタことを最も主要な特徴とする。
【発明の効果】
【０００９】
本発明のコネクタによれば、アクチュエータにカバー部を一体に設けたことで、コネクタを基板へ実装した後に発生するゴミなどの異物の付着によるコンタクトにおけるショート、マイグレーション、コンタクトの端子部への腐食の発生を防ぐことができるので、実使用環境下での電気的接続の信頼性を向上させることができる。
【００１０】
また、接続対象物を挿入した後、固定するためのアクチュエータがカバー部によってカバー機能を兼ね備えているため、部品点数を増やすことなくコネクタを構成できる。
【００１１】
さらに、コネクタは、カバー部を持ちながら、オープン時には端子部の半田リフロー時に端子部が完全に露出しており、半田リフローの熱風が十分に当たる構造となる。
【００１２】
さらにまた、コネクタは、アクチュエータにカバー部を持ちながら、半田付け完了後の半田付け仕上がりの目視確認が可能となり検査が容易になる。
【発明を実施するための最良の形態】
【００１３】
本発明では、導電性のコンタクトと、該コンタクトを保持するインシュレータと、前記インシュレータに回動可能に取り付けられ、かつ前記コンタクトを弾性変形させて接続対象物に接触させるよう回動するアクチュエータとを含むコネクタにおいて、前記コンタクトは、前記インシュレータから前記インシュレータの外へ延びている端子部を有し、前記アクチュエータは、前記コンタクトを弾性変形させて前記接続対象物に接触させた状態で前記端子部の少なくとも一面を覆うカバー部を有していることを特徴とするコネクタを実現した。
【実施例１】
【００１４】
本発明のコネクタについて図１〜図４を参照して説明する。図１〜図４は、コネクタの実施例１を示している。なお、実施例１では、接続対象物としてフレキシブル・プリンテッド・サーキット（ＦＰＣ）を接続するコネクタによって説明する。
【００１５】
コネクタは、金属製の多数のコンタクト１０と、各コンタクト１０を保持するインシュレータ２０と、各コンタクト１０をＦＰＣ５０に圧接させるための合成樹脂製のアクチュエータ３０とを備えている。
【００１６】
コンタクト１０は、図１に具体的に示されているように、接触部１１と、この接触部１１に対向して配置されている接触部１２と、接触部１１，１２を互いに連結している連結ばね部１３と、接触部１１，１２とは反対側へ延びているばね部１４と、ばね部１４に対向するように延びている保持部１５とを有している。
【００１７】
図１によって見ると、コンタクト１０は、接触部１１，１２，連結ばね部１３、ばね部１４及び保持部１５とによって全体が偏平な略エ字形状に構成される。
【００１８】
接触部１１の一端側の下面には、２つの突起１１ａ，１１ｂが若干離れて形成されている。また、接触部１１の他端側は、折曲されて上向きの傾斜部１１ｃに形成される。接触部１２の一端側の上面には、２つの突起１２ａ，１２ｂが若干離れて形成されている。
【００１９】
また、接触部１２の他端側は、折曲されて下向きの傾斜部１２ｃに形成される。さらに、接触部１２の一端側の先端には、突出部１６が形成され、保持部１５の中央の上面には、カム受入凹部１５ａが形成されている。
【００２０】
保持部１５の一端側の下面には、プリント配線基板６０に半田付けにより接続するための端子部１７が形成される。接触部１１とばね部１４は、１本のビームを形成し、また、接触部１２と保持部１５も、１本のビームを形成する。
【００２１】
インシュレータ２０の前面側の内部下方には、多数の溝２１が形成され、各溝２１に各コンタクト１０の突出部１６が圧入される。また、インシュレータ２０には、各コンタクト１０の接触部１１及びばね部１４の一側部分を被覆している天井部２２が形成されている。天井部２２の前面側の下部には、ＦＰＣ５０をコネクタに挿入するときガイドするための傾斜したガイド部２２ａが形成される。なお、天井部２２は、インシュレータ２０の自動実装時の吸着面として利用することができる。
【００２２】
アクチュエータ３０は、カム部３１と、操作部３３（図１では断面が略Ｌ字形状部分）と、端子部１７を覆うカバー部３５とを有している。カム部３１と操作部３３との間には、各コンタクト１０のばね部１４の先端付近１４ａが挿入脱出可能な逃げ溝３２を形成されている。
【００２３】
アクチュエータ３０は、接続対象物５０を挿入する側とは反対側に倒しロックする構造となる。カバー部３５は、図３及び図４にも示すように、インシュレータ２０の一対の側壁部２０ａにおける外面に一部が対向するように軸部２０ｃによって回動可能に軸支されている一対のカバー側板部３５ａと、一対のカバー側板部３５ａの上辺を互いに接続しているカバー天板部３５ｂと、一対のカバー側板部３５ａ及びカバー天板部３５ｂの後端辺を相互に接続している後板部３５ｃとを有している。
【００２４】
一対のカバー側板部３５ａには、軸部２０ｃに回動可能に係合する軸穴３５ｅが形成されている。カバー天板部３５ｂの前方側は、大きな切り欠き部３５ｆが形成されている。
【００２５】
したがって、アクチュエータ３０は、中空立体構造となっており、図５及び図６に示すように、ロック位置に倒したときにコンタクト１０の端子部１７を覆う。アクチュエータ３０、インシュレータ２０及び接続対象物５０のそれぞれは、協働して、端子部１７の周囲を取り囲む。
【００２６】
このコネクタでは、プリント配線基板６０に半田接続した後のカバー部３５により端子部１７へのゴミなどの付着による電気的信頼性の低下を防ぐことが可能である。アクチュエータ３０は、カバー機能を兼ね備えており、半田リフロー時に端子部１７が完全に露出しているので、半田リフローの熱風が十分に当たる。さらに、カバー部３５を持ちながら、半田付け完了後の半田付け仕上がりの目視確認が可能となる。
【００２７】
図５及び図６の状態では、カム部３１が、ばね部１４の先端付近１４ａと保持部１５のカム受入凹部１５ａにより、右回りのモーメントを付勢されているため、アクチュエータ３０は、図１の状態に戻り難い構成となっている。
【００２８】
なお、アクチュエータ３０のカバー部３５は、端子部１７の少なくとも一面を覆うようにしてもよい。また、アクチュエータ３０は、インシュレータ２０に回動かつ摺動自在に支持するように軸穴３５ｅを図２及び図６に示すような長穴としても、もしくは丸穴としてもよい。
【産業上の利用可能性】
【００２９】
本発明は、フレキシブル・フラット・ケーブル（ＦＣＣ）、ＴＡＢ等用のコネクタを使用する電子装置としての用途にも適用できる。
【図面の簡単な説明】
【００３０】
【図１】本発明のコネクタの断面図である（実施例１）。
【図２】図１に示したコネクタの側面図である。
【図３】図１に示したコネクタの右側面図である。
【図４】図１に示したコネクタの左側面図である。
【図５】図１に示したコネクタにおいて操作後の状態を示した断面図である。
【図６】図５に示したコネクタの側面図である。
【符号の説明】
【００３１】
１０    コンタクト
１１    接触部
１１ａ，１１ｂ      突起
１１ｃ    傾斜部
１２    接触部
１２ａ，１２ｂ      突起
１２ｃ    傾斜部
１３    連結ばね部
１４    ばね部
１４ａ    先端付近
１５    保持部
１５ａ    カム受入凹部
１６    突出部
１７    端子部
２０    インシュレータ
２１    溝
２２    天井部
２２ａ    ガイド部
３０    アクチュエータ
３１    カム部
３２    逃げ溝
３３    操作部
５０    ＦＰＣ
６０    プリント配線基板
【図１】
2005243390.tif 000003
【図２】
2005243390.tif 000004
【図３】
2005243390.tif 000005
【図４】
2005243390.tif 000006
【図５】
2005243390.tif 000007
【図６】
2005243390.tif 000008